【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
以下を含むベッド支持体または座席ベースとして使用される賦形された物品：
−  熱弾性と粘弾性を備えたプラスチック材料（１３、２３、３５、４３、５４、５５、５６、６４、７２、７３、８２、８３、９４、１４３）の少なくとも１つの部分、
−  熱弾性と粘弾性を備えたプラスチック材料の少なくとも１つの部分との熱接触を有して配置されている温度調整装置（１４、２４、３６、４２、６３、８４、８５、９２、９３、１４２）、および
−  温度の変更によって制御された方法で熱弾性と粘弾性を備えたプラスチック材料の少なくとも１つの部分の堅さを調節するために装備される、温度調整装置用の制御装置（１１、２１、３１、４１、５１、５２、５３、６２、７５、８１、９１、１００、１４１）。
【請求項２】
布帛スペーサー（４４）、凹部（３７、６５）、電磁放射の遮蔽層（１５、１４４ａ）、熱反射層（１６、３４）、アレルゲン・ブロッキング材料（２５）、ゲル層（４５）の少なくとも１つを有している、請求項１記載の賦形された物品。
【請求項３】
制御装置に接続される少なくとも１つのセンサー（１０２、１０３、１０４、１４７）を有し、センサーの信号が堅さの調節に考慮に入れられる、請求項１または２記載の賦形された物品。
【請求項４】
複数の部分により構成され、それぞれの部分（１２１、１２２）は互い（１２４、１２５）にしっかりと接続されることができ、部分（１２１、１２２）の少なくとも１つが、温度調整装置（１４、２４、３６、４２、６３、８４、８５、９２、９３、１４２）および／または制御装置（１１、２１、３１、４１、５１、５２、５３、６２、７５、８１、９１、１００、１４１）と適合する目的で凹部（１２３）を有している、請求項１から３のいずれか１項記載の賦形された物品。
【請求項５】
請求項１から４のいずれか１項記載の記載の賦形された物品用の制御装置であって、温度の変更を介して制御された方法で熱弾性と粘弾性を備えたプラスチック材料の１つまたは複数の部分の堅さを調節するために装備される制御装置。
【請求項６】
以下の工程を含む、請求項１から５のいずれか１項記載の賦形された物品の堅さの調節方法：
−  所望の堅さ分布の入力、
−  そのために必要な温度分布の決定、
−  温度調整装置による賦形された物品中の導かれた温度分布への調節。
【手続補正２】
【補正対象書類名】明細書
【補正対象項目名】００５２
【補正方法】変更
【補正の内容】
【００５２】
説明された種々の実施態様の特徴および特性は、特定の用途に依存する任意の方法で組み合わせることができることが留意されるべきである。
本願発明は実施態様として以下を含む。
第１項：  以下を含むベッド支持体または座席ベースとして使用される賦形された物品：
−  熱弾性と粘弾性を備えたプラスチック材料（１３、２３、３５、４３、５４、５５、５６、６４、７２、７３、８２、８３、９４、１４３）の少なくとも１つの部分、
−  熱弾性と粘弾性を備えたプラスチック材料の少なくとも１つの部分との熱接触を有して配置されている温度調整装置（１４、２４、３６、４２、６３、８４、８５、９２、９３、１４２）、および
−  温度の変更によって制御された方法で熱弾性と粘弾性を備えたプラスチック材料の少なくとも１つの部分の堅さを調節するために装備される、温度調整装置用の制御装置（１１、２１、３１、４１、５１、５２、５３、６２、７５、８１、９１、１００、１４１）。
第２項：  熱弾性と粘弾性を備えたプラスチック材料（１３、２３、３５、４３、５４、５５、５６、６４、７２、７３、８２、８３、９４、１４３）の少なくとも１つの部分は、発泡プラスチック材料である、第１項記載の賦形された物品。
第３項：  熱弾性と粘弾性を備えたプラスチック材料（１３、２３、３５、４３、５４、５５、５６、６４、７２、７３、８２、８３、９４、１４３）の少なくとも１つの部分は、少なくとも部分的にポリウレタンフォームである、第１または２項記載の賦形された物品。
第４項：  熱弾性と粘弾性を備えたプラスチック材料（１３、２３、３５、４３、５４、５５、５６、６４、７２、７３、８２、８３、９４、１４３）の少なくとも１つの部分は、２０ｋｇ／ｍ３から８５ｋｇ／ｍ３の間の範囲の容積当たりの重量を有している、第１から３のいずれか１項記載の賦形された物品。
第５項：  プラスチック材料（１４５、１４６）の少なくとも１つの部分を有し、それは室温で熱弾性と粘弾性を備えたプラスチック材料（１３、２３、３５、４３、５４、５５、５６、６４、７２、７３、８２、８３、９４、１４３）の少なくとも１つの部分より小さい堅さを有している、第１から４のいずれか１項記載の賦形された物品。
第６項：  より小さい堅さのプラスチック材料（１４５）の少なくとも１つの部分は、熱弾性と粘弾性を備えたプラスチック材料（１３、２３、３５、４３、５４、５５、５６、６４、７２、７３、８２、８３、９４、１４３）の少なくとも１つの部分の下に配置されている、第５項記載の賦形された物品。
第７項：  温度調整装置は電気的な加熱装置（１４、２４、３６、６３、８４、８５、９２、９３、１４２）として設計されている、第１から６のいずれか１項記載の賦形された物品。
第８項：  電気伝導性の紡績糸（１４）が、熱弾性と粘弾性を備えたプラスチック材料（１３、２３、３５、４３、５４、５５、５６、６４、７２、７３、８２、８３、９４、１４３）の少なくとも１つの部分に隣接して配置される、第７項記載の賦形された物品。
第９項：  導電性のプラスチック材料層（３６）は、熱弾性と粘弾性を備えたプラスチック材料（１３、２３、３５、４３、５４、５５、５６、６４、７２、７３、８２、８３、９４、１４３）の少なくとも１つの部分に隣接して配置される、第７または８項記載の賦形された物品。
第１０項：  温度調整装置は流動性のライン（４２）を介して熱弾性と粘弾性を備えたプラスチック材料（１３、２３、３５、４３、５４、５５、５６、６４、７２、７３、８２、８３、９４、１４３）の少なくとも１つの部分との熱接触を有する、第１から９のいずれか１項記載の賦形された物品。
第１１項：  温度調整装置（１４、２４、３６、４２、６３、８４、８５、９２、９３、１４２）および制御装置（１１、２１、３１、４１、５１、５２、５３、６２、７５、８１、９１、１００、１４１）は、インタラクティブに作動するように設計され、
熱弾性と粘弾性を備えたプラスチック材料（１３、２３、３５、４３、５４、５５、５６、６４、７２、７３、８２、８３、９４、１４３）の少なくとも１つの部分が、２０℃から３５℃までの範囲の中の温度を有するようにする、第１から１０のいずれか１項記載の賦形された物品。
第１２項：  布帛スペーサー（４４）を有している、第１から１１のいずれか１項記載の賦形された物品。
第１３項：  凹部（３７、６５）を有している、第１から１２のいずれか１項記載の賦形された物品。
第１４項：  電磁放射の遮蔽層（１５、１４４ａ）を有している、第１から１３のいずれか１項記載の賦形された物品。
第１５項：  遮蔽層（１４４ａ）がアースに伝導性を有して接続できる、第１４項記載の賦形された物品。
第１６項：  熱反射層（１６、３４）を有する、第１から１５のいずれか１項記載の賦形された物品。
第１７項：  アレルゲン・ブロッキング材料（２５）を有する、第１から１６のいずれか１項記載の賦形された物品。
第１８項：  ゲル層（４５）を有する、第１から１７のいずれか１項記載の賦形された物品。
第１９項：  制御装置に接続される少なくとも１つのセンサー（１０２、１０３、１０４、１４７）を有し、センサーの信号が堅さの調節に考慮に入れられる、第１から１８のいずれか１項記載の賦形された物品。
第２０項：  センサーは温度センサー（１４７）として設計され、温度調整装置（１４、２４、３６、４２、６３、８４、８５、９２、９３、１４２）から離れて配置されている、第１９項記載の賦形された物品。
第２１項：  複数の部分により構成され、それぞれの部分（１２１、１２２）は互い（１２４、１２５）にしっかりと接続されることができ、部分（１２１、１２２）の少なくとも１つが、温度調整装置（１４、２４、３６、４２、６３、８４、８５、９２、９３、１４２）および／または制御装置（１１、２１、３１、４１、５１、５２、５３、６２、７５、８１、９１、１００、１４１）と適合する目的で凹部（１２３）を有している、第１から２０のいずれか１項記載の賦形された物品。
第２２項：  第１から２１のいずれか１項記載の賦形された物品用の制御装置であって、温度の変更を介して制御された方法で熱弾性と粘弾性を備えたプラスチック材料の１つまたは複数の部分の堅さを調節するために装備される制御装置。
第２３項：  温度調整装置（１４、２４、３６、４２、６３、８４、８５、９２、９３、１４２）とインタラクトするように装備され、所望の堅さに関する入力が必要とされる温度範囲に変換され、
これから、温度調整装置（１４、２４、３６、４２、６３、８４、８５、９２、９３、１４２）への対応する出力信号が生成される、第２２項記載の制御装置。
第２４項：  温度の対応する変更によって異なる時に異なるレベルの堅さに自動的に調節することが可能である、第２２または２３項記載の制御装置。
第２５項：  異なる位置で異なるレベルの堅さに同時に調節することが調整可能である、第２２から２４のいずれか１項記載の制御装置。
第２６項：  所望の堅さへの制御または調節のためにその信号が評価される少なくとも１つのセンサー（１０２、１０３、１０４、１４７）を有する、第２２から２５のいずれか１項記載の制御装置。
第２７項：  所望の堅さ分布を確立するためのユニット（１０５）、必要な温度分布を決定するためのマイクロプロセッサ（１０６）および必要な温度分布を出力するためのユニット（１０７）を有する、第２２から２６のいずれか１項記載の制御装置。
第２８項：  以下の工程を含む、第１から２１のいずれか１項記載の賦形された物品の堅さの調節方法：
−  所望の堅さ分布の入力、
−  そのために必要な温度分布の決定、
−  温度調整装置による賦形された物品中の導かれた温度分布への調節。
第２９項：  経時的な所望の堅さ分布のシーケンスが入力される、第２８項記載の方法。
第３０項：  少なくとも１つの測定可能なパラメータの関数として所望の堅さ分布が入力される、第２８または２９項記載の方法。
第３１項：コンピュータが判読可能な指示を含み、好適なシステム上で実行される場合、第１から２１のいずれか１項記載の賦形された物品の堅さを調節する目的のために、第２８から３０のいずれか１項記載の方法を実行する、コンピュータプログラム。
第３２項：  マットレス、布団、クッション、スプリングを有するベッドのスプリング含有構成要素、車椅子のパッドを有する構成要素、または特には床ずれ予防処置のための、上記のアイテムのうちの１つのためのオーバーレイとしての、第１から２１のいずれか１項記載の賦形された物品の使用。
第３３項：  椅子、肘掛け椅子、ソファ、車椅子、自動車車両座席、列車座席、航空機座席の構成要素、あるいは上記のアイテムのうちの１つのためのオーバーレイとしての、第１から２１のいずれか１項記載の賦形された物品の使用。